(57)【要約】【課題】き電線がいしの取り替えにかかる労力を軽減することができるき電線仮支持具を提供する。【解決手段】腕金１４に設けられたき電線がいし１２を取り替える際に、き電線がいし１２が支持するき電線１１を仮支持するき電線仮支持具１において、腕金１４にはめ込まれて腕金１４から外方に突出するように仮固定される腕金固定部２と、腕金固定部２に取り付けられてき電線１１を引き上げてき電線１１の荷重を負担する張線器３と、を有する。腕金固定部２は、腕金１４に仮固定されると、張線器３が取り付けられる部分が腕金１４よりも上方に配置される。【選択図】図１
2017039353.tif 000002
【特許請求の範囲】
【請求項１】
腕金に設けられたき電線がいしを取り替える際に、該き電線がいしが支持するき電線を仮支持するき電線仮支持具において、
前記腕金にはめ込まれて該腕金から外方に突出するように仮固定される腕金固定部と、
該腕金固定部に取り付けられて前記き電線を引き上げて該き電線の荷重を負担する張線器と、を有することを特徴とするき電線仮支持具。
【請求項２】
前記腕金固定部における前記張線器が取り付けられる部分は、前記腕金固定部が前記腕金に仮固定されると前記腕金よりも上方に配置されるように形成されていることを特徴とする請求項１に記載のき電線仮支持具。
【請求項３】
前記腕金固定部は、長さ方向の両側それぞれが前記腕金にはめ込み可能であるとともに、前記張線器を取り付け可能であることを特徴とする請求項１又は２に記載のき電線仮支持具。
【発明の詳細な説明】
【技術分野】
【０００１】
本発明は、き電線を支持するき電線がいしを取り替える際に、き電線を仮支持するき電線仮支持具に関する。
【背景技術】
【０００２】
鉄道のき電線は、電柱に固定された腕金にき電線がいしを介して支持されている。腕金やき電線がいしは、必要に応じて交換が行われている（例えば、特許文献１乃至３参照）。
従来、き電線がいしの交換は小棒と呼ばれる長い木材を焼きなまし線で腕金に仮固定し、小棒に設置した張線器（シメラー）にき電線を仮支持させた状態で行っている。
【先行技術文献】
【特許文献】
【０００３】
【特許文献１】特開２０１０−２７３４３５号公報
【特許文献２】特開２０１０−１６１８３４号公報
【特許文献３】特開平６−１５３３４３号公報
【発明の概要】
【発明が解決しようとする課題】
【０００４】
小棒を腕金に仮固定するには、長い小棒を腕金が設けられている高所に持ち上げる必要があるとともに、焼きなまし線で腕金に小棒を緊縛する特別な技能が必要である。このため、き電線がいしの取り替えに労力がかかるという問題がある。
【０００５】
そこで、本発明は、き電線がいしの取り替えにかかる労力を軽減することができるき電線仮支持具を提供することを目的とする。
【課題を解決するための手段】
【０００６】
上記目的を達成するため、本発明に係るき電線仮支持具は、腕金に設けられたき電線がいしを取り替える際に、該き電線がいしが支持するき電線を仮支持するき電線仮支持具において、前記腕金にはめ込まれて該腕金から外方に突出するように仮固定される腕金固定部と、該腕金固定部に取り付けられて前記き電線を引き上げて該き電線の荷重を負担する張線器と、を有することを特徴とする。
【０００７】
本発明では、張線器を取り付ける腕金固定部は、腕金にはめ込むことで腕金に仮固定されるため、従来のように張線器を取り付ける小棒を焼きなまし線で腕金に緊縛するという特別な技能を必要とせず、腕金固定部を腕金に容易に仮固定することができる。
【０００８】
また、本発明に係るき電線仮支持具では、前記腕金固定部における前記張線器が取り付けられる部分は、前記腕金固定部が前記腕金に仮固定されると前記腕金よりも上方に配置されるように形成されていることが好ましい。
このような構成とすることにより、張線器の引き代を上下方向に確保することができて、き電線を確実に仮支持することができる。
【０００９】
また、本発明に係るき電線仮支持具では、前記腕金固定部は、長さ方向の両側それぞれが前記腕金にはめ込み可能であるとともに、前記張線器を取り付け可能であることが好ましい。
このような構成とすることにより、腕金の腕金固定部をはめ込む部分が腕金の長さ方向のいずれの側であっても、腕金固定部をはめ込むことができる。腕金が例えば長さ方向の一方側から見た断面形状と他方側から見た断面形状とが左右対称となるＬ形鋼などの場合、腕金固定部が腕金の長さ方向の一方側に嵌合する形状のみに形成されていると、腕金の長さ方向の他方側にはめ込むことができない。これに対し、腕金固定部がその長さ方向の両側それぞれが腕金にはめ込み可能であることにより、腕金固定部の腕金に仮固定する側を変えることで、腕金の長さ方向の両側に対して腕金固定部を仮固定することができる。
【発明の効果】
【００１０】
本発明によれば、き電線がいしの取り替えにかかる労力を軽減することができる。
【図面の簡単な説明】
【００１１】
【図１】本発明の実施形態によるき電線仮支持具を示す図である。
【図２】き電線がいしおよびき電線を説明する図である。
【図３】図２のＡ−Ａ線断面図である。
【図４】き電線仮支持具を上方から見た図である。
【図５】図４のＢ方向矢視図である。
【図６】図４のＣ方向矢視図である。
【図７】腕金の一方側の端部に取り付けられたき電線仮支持具を腕金の一方側の端部側から見た図である。
【図８】腕金の他方側の端部に取り付けられたき電線仮支持具を腕金の他方側の端部側から見た図である。
【発明を実施するための形態】
【００１２】
以下、本発明の実施形態によるき電線仮支持具について、図１乃至図８に基づいて説明する。
図１に示すように、本実施形態によるき電線仮支持具１は、鉄道のき電線１１を支持するき電線がいし１２を取り替える際に、き電線１１を仮支持するために使用される。
図２に示すように、き電線がいし１２は、電柱１３（図２参照）に固定された腕金１４の長さ方向の端部１４ａ近傍に取り付けられている。
腕金１４は、略水平方向に延在し、幅寸法および高さ寸法が等しい等辺山形鋼で構成されている。腕金１４は、板面が略水平面となるフランジ１４１が上側、板面が略鉛直面となるウェブ１４２が下側となるように配置されている。腕金１４の幅寸法および高さ寸法は、６５ｍｍまたは７５ｍｍに設定されている。
【００１３】
図１に戻り、き電線仮支持具１は、腕金１４の端部１４ａ近傍に仮固定される腕金固定部２と、腕金固定部２に取り付けられてき電線１１を仮支持する張線器（シメラー）３と、を有している。張線器３は、腕金固定部２に取り付けられて、き電線１１を腕金固定部２側に引っ張るように仮支持可能に構成されている。
【００１４】
図４乃至図６に示すように、腕金固定部２は、鋼材を加工した部材で所定の長さに形成されている。腕金固定部２には、長さ方向（図４および図５の左右方向、図６の紙面に直交する方向）の略中央部に屈曲部２ａが形成されている。腕金固定部２のうち屈曲部２ａよりも長さ方向の一方側となる部分を第１固定部２１とし、長さ方向の他方側となる部分を第２固定部２２とする。第１固定部２１は一の直線方向に延在し、第２固定部２２は一の直線方向に交差する直線方向に延在している。第１固定部２１と第２固定部２２とは一体に形成されている。
【００１５】
第１固定部２１は、腕金１４の長さ方向の一方側の端部１４ｂ（図１参照）近傍に仮固定可能となっている。第２固定部２２は、腕金１４の他方側の端部１４ｃ（図１参照）近傍に仮固定可能となっている。第１固定部２１および第２固定部２２は、いずれも張線器３を取り付け可能となっている。
腕金固定部２は、第１固定部２１が腕金１４に仮固定され第２固定部２２に張線器３が取り付けられた状態と、第２固定部２２が腕金１４に仮固定され第１固定部２１に張線器３が取り付けられた状態とのいずれかの状態で使用される。
なお、第２固定部２２が腕金１４の他方側の端部１４ｃに仮固定される場合は、図１において仮想線で示すように、腕金１４の一方側の端部１４ｂ側が電柱１３に固定され、他方側の端部１４ｃが電柱１３と離間するように配置され、腕金１４の他方側の端部１４ｃにき電線がいし１２が設けられている。
【００１６】
図７に示すように、第１固定部２１は、腕金１４のフランジ１４１およびウェブ１４２の上部側を挿入可能で、腕金１４のフランジ１４１およびウェブ１４２の上部側が挿入されることで腕金１４にはめ込まれて仮固定されるように構成されている。図７は、腕金１４に仮固定された腕金固定部２を図５のＤ方向から見た図である。
第１固定部２１は、腕金１４に仮固定された際に、腕金１４のフランジ１４１の上側に配置される第１上板部２１１と、フランジ１４１の下側に配置される第１下板部２１２と、第１上板部２１１の幅方向（図７の左右方向）の一方側の端部から下方に延びてウェブ１４２の幅方向の一方側に配置される第１側板部２１３と、第１上板部２１１の幅方向の他方側の端部と第１下板部２１２の幅方向の他方側の端部とを接続しフランジ１４１の幅方向の他方側に配置される第１接続板部２１４と、を有している。
第１固定部２１は、長さ方向における第２固定部２２と離間する側の端部側から、腕金１４のフランジ１４１およびウェブ１４２の上部側が挿入される。
【００１７】
第１上板部２１１には、２つのボルト孔２１５，２１５が形成されている。本実施形態では、第１上板部２１１を貫通する孔部と重なるように第１上板部２１１の上面にナットを溶接し、このナットの孔部をボルト孔２１５としている。なお、ナットを用いずに第１上板部２１１のボルト孔２１５，２１５を形成する部分をその他の部分よりも肉厚に形成し、この肉厚の部分にネジ山が形成された孔部を形成してボルト孔２１５としてもよい。
第１固定部２１に腕金１４が挿入された状態で、ボルト孔２１５，２１５にそれぞれ上方からボルト２１６，２１６を挿通し締結することで、ボルト２１６，２１６が腕金１４のフランジ１４１を第１下板部２１２に押し付けて、腕金固定部２が腕金１４から外れることを防止している。
また、本実施形態では、第１側板部２１３は、腕金固定部２が腕金１４から幅方向に外れることを防止している。
【００１８】
第１上板部２１１および第１下板部２１２には、長さ方向における第２固定部２２と離間する側の端部近傍に張線器３（図１参照）を取り付けるＵ字ボルトなどの金具３１（図１参照）を挿通可能な張線器取付用孔部２１７，２１８がそれぞれ形成されている。なお、第１固定部２１が腕金１４に仮固定されている状態では、孔部張線器取付用孔部２１６，２１７に金具３１を挿通させることができず、第１固定部２１が腕金１４に仮固定されていない状態（第２固定部２２が腕金１４に仮固定されている状態）では、張線器取付用孔部２１７，２１８に金具３１を挿通させることができる。
【００１９】
図８に示すように、第２固定部２２は、腕金１４のフランジ１４１およびウェブ１４２の上部側を挿入可能で、腕金１４のフランジ１４１およびウェブ１４２の上部側が挿入されることで腕金１４にはめ込まれて仮固定されるように構成されている。図８は、腕金１４に仮固定された腕金固定部２を図５のＥ方向から見た図である。
第２固定部２２は、腕金１４に仮固定された際に、腕金１４のフランジ１４１の上側に配置される第２上板部２２１と、フランジ１４１の下側に配置される第２下板部２２２と、第２上板部２２１の幅方向（図８の左右方向）の一方側の端部から下方に延びてウェブ１４２の幅方向の一方側に配置される第２側板部２２３と、第２上板部２２１の幅方向の他方側の端部と第２下板部２２２の幅方向の他方側の端部とを接続しフランジ１４１の幅方向の他方側に配置される第２接続板部２２４と、を有している。
第２固定部２２は、長さ方向における第１固定部２１と離間する側の端部側から、腕金１４のフランジ１４１およびウェブ１４２の上部側が挿入される。
【００２０】
第２上板部２２１には、２つのボルト孔２２５，２２５が形成されている。本実施形態では、第２上板部２２１のボルト孔２２５，２２５が形成されている部分は、その他の部分よりも肉厚に形成されている。第２固定部２２に腕金１４が挿入された状態で、ボルト孔２２５，２２５にそれぞれ上方からボルト２２６，２２６を挿通し締結することで、ボルト２２６，２２６が腕金１４のフランジ１４１を第２下板部２２２に押し付けて、腕金固定部２が腕金１４から外れることを防止している。
また、本実施形態では、第２側板部２２３は、腕金固定部２が腕金１４から幅方向に外れることを防止している。
【００２１】
第２上板部２２１および第２下板部２２２には、長さ方向における第１固定部２１と離間する側の端部近傍に張線器３（図１参照）を取り付けるＵ字ボルトなどの金具３１（図１参照）を挿通可能な張線器取付用孔部２２７，２２８がそれぞれ形成されている。なお、第２固定部２２が腕金１４に仮固定されている状態では、張線器取付用孔部２２７，２２８に金具３１を挿通させることができず、第２固定部２２が腕金１４に仮固定されていない状態（第１固定部２１が腕金１４に仮固定されている状態）では、張線器取付用孔部２２７，２２８に金具３１を挿通させることができる。
【００２２】
本実施形態では、腕金固定部２が屈曲していることにより、第１固定部２１が腕金１４に仮固定されると、第２固定部２２が第１固定部２１と連続する側から第１固定部２１と離間する側に向かって漸次上側に向かうように傾斜した姿勢となり、第２固定部２２の第１固定部２１と離間する側の端部が第１固定部２１および腕金１４よりも上側に配置される。また、腕金固定部２が屈曲していることにより、第２固定部２２が腕金１４に仮固定されると、第１固定部２１が第２固定部２２と連続する側から第２固定部２２と離間する側に向かって漸次上側に向かうように傾斜した姿勢となり、第１固定部２１の第２固定部２２と離間する側の端部が第２固定部２２および腕金１４よりも上側に配置される。
【００２３】
続いて、本実施形態によるき電線仮支持具１を用いたき電線がいし１２の取替方法について説明する。ここでは、腕金１４の一方側の端部１４ｂに取り付けられているき電線がいし１２を取り替える場合について説明する。
まず、腕金１４の一方側の端部１４ｂ近傍を腕金固定部２の第１固定部２１に差し込むようにして、腕金固定部２を腕金１４にはめ込む。
続いて、第１固定部２１のボルト孔２１５，２１５にボルト２１６，２１６を締結し、腕金１４のフランジ１４１を第１下板部２１２に押し付ける。このようにして、腕金固定部２を腕金１４に仮固定する。
【００２４】
続いて、第２上板部２２１および第２下板部２２２の張線器取付用孔部２１７，２１８に張線器３を取り付けるための金具３１を挿通し、この金具３１に張線器３を取り付ける。
続いて、張線器３でき電線１１を引き上げるように仮支持し、張線器３にき電線１１の荷重を負担させる。そして、き電線がいし１２の交換を行い、新設されたき電線がいし１２にき電線１１を支持させる。
続いて、き電線から張線器３を取り外し、張線器３を腕金固定部２から取り外す。
続いて、ボルト２１６，２１６をボルト孔２１５，２１５から外して腕金１４から腕金固定部２を撤去する。
このようにしてき電線がいし１２が交換される。
【００２５】
なお、腕金固定部２を腕金１４に仮固定する前に張線器３を腕金固定部２に固定し、腕金固定部２を腕金１４から外した後に張線器３を腕金固定部２から外すようにしてもよい。また、ボルト２１６は予めボルト孔２１５に挿通させておき、ボルト２１６を緩めた状態で腕金固定部２を腕金１４に着脱してもよい。
なお、腕金１４の他方側の端部１４ｂに取り付けられているき電線がいし１２を取り替える場合には、上記の腕金１４の一方側の端部１４ｂに取り付けられているき電線がいし１２を取り替える説明における第１固定部２１を第２固定部２２とし、第２固定部２２を第１固定部２１として同様に行う。
【００２６】
次に、上述した本実施形態によるき電線仮支持具１の作用・効果について図面を用いて説明する。
上述した本実施形態によるき電線仮支持具１では、腕金固定部２を腕金１４に仮固定するには、腕金固定部２を腕金１４にはめ込めばよいため、特別な技能を必要とせずにき電線仮支持具１を容易に設置することができる。これにより、き電線がいし１２の取り替えにかかる労力を軽減することができる。
また、第１固定部２１および第２固定部２２のうちの張線器３を取り付ける方は、腕金固定部２が腕金１４に仮固定されると腕金１４よりも高い位置に配置されるように形成されていることにより、張線器３の引き代を上下方向にも確保することができる。
【００２７】
また、腕金固定部２は、第１固定部２１および第２固定部２２のいずれも腕金１４にはめ込み可能であるとともに、張線器３を取り付け可能であることにより、腕金１４の腕金固定部２をはめ込む部分が腕金１４の長さ方向のいずれの側であっても、腕金固定部２をはめ込むことができる。本実施形態のように、腕金１４がＬ形鋼の場合、腕金固定部２が腕金１４の長さ方向の一方側にはめ込み可能な形状のみに形成されていると、腕金１４の長さ方向の他方側にはめ込むことができない。これに対し、腕金固定部２の第１固定部２１および第２固定部２２のそれぞれが腕金１４にはめ込み可能であることにより、第１固定部２１および第２固定部２２のいずれかを選択することにより、腕金１４の長さ方向の両側に対して腕金固定部２を仮固定することができる。
【００２８】
以上、本発明によるき電線仮支持具の実施形態について説明したが、本発明は上記の実施形態に限定されるものではなく、その趣旨を逸脱しない範囲で適宜変更可能である。
例えば、上記の実施形態では、腕金固定部２は、長さ方向の略中央部に屈曲部２ａが形成されているが、屈曲していなくてもよい。
また、上記の実施形態では、腕金固定部２は、長さ方向の両側が腕金１４に仮固定可能であるとともに、張線器３を取り付け可能であるが、長さ方向の一方側のみが腕金１４に仮固定可能で、他方側のみが張線器３を取り付け可能な形態としてもよい。
【符号の説明】
【００２９】
１  き電線仮支持具
２  腕金固定部
２ａ  屈曲部
３  張線器
１１  き電線
１２  き電線がいし
１４  腕金
２１  第１固定部
２２  第２固定部
【図１】
2017039353.tif 000003
【図２】
2017039353.tif 000004
【図３】
2017039353.tif 000005
【図４】
2017039353.tif 000006
【図５】
2017039353.tif 000007
【図６】
2017039353.tif 000008
【図７】
2017039353.tif 000009
【図８】
2017039353.tif 000010